(57)【要約】【課題】流し排水口用水切り袋ホルダ−において、装着された水切り袋の底が先細になることなく良好に保持することができるようにする。【解決手段】リング状部６の下方に該リング状部６の第１の中心軸線Ｘと同心円状で第１の巻線部７Ａ間に間隙を形成したコイルバネ７を一体に設け、コイルバネ７の下部の内側に線材８によって水切り袋12支持用の底部を渦巻きバネ９によって形成する。水切り袋12の側周面12Ｃの外側にはコイルバネ７が配置されると共に、水切り袋12の底部12Ｂの外側には線材８によって形成した底部である渦巻きバネ９を配置することができる。水切り袋12の上部12Ａをリング状部６で支持でき、水切り袋12の側周面12Ｃをコイルバネ７の内側で支持できると共に、水切り袋12の底部12Ｂを底部である渦巻きバネ９で支持できるようになっているので、水切り袋12を確実に保持でき、水切り袋12の容量を確保することができる。【選択図】図１
0003124457.tif 000002
【実用新案登録請求の範囲】
【請求項１】
リング状部に配置した水切り袋の上部を折り返した状態で、前記リング状部を流し排水口の排水筒部に設置する流し排水口用水切り袋ホルダ−であって、前記リング状部の下方に該リング状部の第１の中心軸線と同心円状で第１の巻線部間に第１の間隙を形成したコイルバネを一体に設け、前記コイルバネの下部の内側に線材によって前記水切り袋の支持用の底部を形成したことを特徴とする流し排水口用水切り袋ホルダ−。
【請求項２】
前記底部は、前記コイルバネの下部の内側に第２の巻線部間に第２の間隙を形成した渦巻きバネを一体に設けると共に、この渦巻きバネの第３の中心軸線は前記第１の中心軸線と平行又はほぼ平行に設けて形成したことを特徴とする請求項１記載の流し排水口用水切り袋ホルダ−。
【請求項３】
前記コイルバネの外径は前記排水筒部の内径よりも大きく形成されたことを特徴とする請求項１又は２記載の流し排水口用水切り袋ホルダ−。
【請求項４】
前記コイルバネの外径は、前記リング状部の外径よりも小さく形成されることを特徴とする請求項１〜３のいずれか１項に記載の流し排水口用水切り袋ホルダ−。
【請求項５】
前記リング状部、前記コイルバネ及び前記底部を１本の線材によって形成すると共に、前記リング状部には前記第１の中心軸心側に向けて突設した摘みを設け、さらに前記コイルバネのそれぞれの第１の巻線部の外径をほぼ同一に形成したことを特徴とする請求項１〜４のいずれか１項に記載の流し排水口用水切り袋ホルダ−。
【請求項６】
前記リング状部、前記コイルバネ及び前記底部を１本の線材によって形成し、前記線材の始端から１巻目を前記リング状部とし、前記線材の２巻目からを前記コイルバネに形成し、前記１巻目の終端と前記２巻目の始端との間には終端から始端に向かって内向き部が形成されると共に、前記内向き部の長さは、前記リング状部の外径と前記コイルバネの外径との差のほぼ半分に形成されていることを特徴とする請求項１〜５のいずれか１項に記載の流し排水口用水切り袋ホルダ−。
【考案の詳細な説明】
【技術分野】
【０００１】
本考案は、厨房等の流し排水口用水切り袋ホルダ−に関するものである。
【背景技術】
【０００２】
従来、流し排水口にはごみ取りのために、ごみ取りかごが装着されていた。このかごは網や小孔が多数形成された板材によって有底円筒状のものであったが、このようなかごに水切り袋を装着して使用する場合には、排水性に劣るので水切れが低く、さらにかごがぬめりや汚れで目づまりして、流し排水口用水切り袋を取り外して、かごの掃除を比較適頻繁に行う必要があった。
【０００３】
このような問題を解決するものとして流し排水栓網かごを使用しないで、流し排水口用水切り袋を通し、上部を外側に折り曲げて、流し排水口に設置する流し排水口用水切り袋ホルダ−リングが知られている（例えば、特許文献１）。
【特許文献１】特開２０００−２２０１９１号公報
【考案の開示】
【考案が解決しようとする課題】
【０００４】
しかし、従来技術においては水切り袋をリングによって吊り下げて流し排水口に装着するものであるから、装着時において水切り袋の底が先細になるなど形状が不安定であり、この結果水切り袋が破損したり、或いは水切り袋の両側部相互に接触したり、水切り袋の底部が水切り袋の側部に接触してしまい、ごみ収容容積が小さくなってしまうなどの問題がある。
【０００５】
解決しようとする問題点は、リング状部に配置した水切り袋の上部を折り返した状態で、前記リングを流し排水口に設置する流し排水口用水切り袋ホルダ−において、装着された水切り袋の底が先細になることなく良好に保持することができるようにするものである。
【課題を解決するための手段】
【０００６】
請求項１の考案は、リング状部に配置した水切り袋の上部を折り返した状態で、前記リング状部を流し排水口の排水筒部に設置する流し排水口用水切り袋ホルダ−であって、前記リング状部の下方に該リング状部の第１の中心軸線と同心円状で第１の巻線部間に第１の間隙を形成したコイルバネを一体に設け、前記コイルバネの下部の内側に線材によって前記水切り袋の支持用の底部を形成したことを特徴とする流し排水口用水切り袋ホルダ−である。
【０００７】
請求項２の考案は、前記底部は、前記コイルバネの下部の内側に第２の巻線部間に第２の間隙を形成した渦巻きバネを一体に設けると共に、この渦巻きバネの第３の中心軸線は前記第１の中心軸線と平行又はほぼ平行に設けて形成したことを特徴とする請求項１記載の流し排水口用水切り袋ホルダ−である。
【０００８】
請求項３の考案は、前記コイルバネの外径は前記排水筒部の内径よりも大きく形成されたことを特徴とする請求項１又は２記載の流し排水口用水切り袋ホルダ−である。
【０００９】
請求項４の考案は、前記コイルバネの外径は、前記リング状部の外径よりも小さく形成されることを特徴とする請求項１〜３のいずれか１項に記載の流し排水口用水切り袋ホルダ−である。
【００１０】
請求項５の考案は、前記リング状部、前記コイルバネ及び前記底部を１本の線材によって形成すると共に、前記リング状部には前記第１の中心軸心側に向けて突設した摘みを設け、さらに前記コイルバネのそれぞれの第１の巻線部の外径をほぼ同一に形成したことを特徴とする請求項１〜４のいずれか１項に記載の流し排水口用水切り袋ホルダ−である。
【００１１】
請求項６の考案は、前記リング状部、前記コイルバネ及び前記底部を１本の線材によって形成し、前記線材の始端から１巻目を前記リング状部とし、前記線材の２巻目からを前記コイルバネに形成し、前記１巻目の終端と前記２巻目の始端との間には終端から始端に向かって内向き部が形成されると共に、前記内向き部の長さは、前記リング状部の外径と前記コイルバネの外径との差のほぼ半分に形成されていることを特徴とする請求項１〜５のいずれか１項に記載の流し排水口用水切り袋ホルダ−である。
【考案の効果】
【００１２】
請求項１の考案によれば、水切り袋の側周面の外側には水切り袋の側周面を支持するコイルバネが配置されると共に、水切り袋の底部の外側を支持する線材によって形成した底部を配置することで、水切り袋を確実に保持でき、水切り袋の容量を確保することができる。
【００１３】
請求項２の考案によれば、渦巻きバネによって水切り袋の底部を確実に支持できると共に、第２の間隙から良好に水切りした水を排出することができる。
【００１４】
請求項３の考案によれば、コイルバネは排水筒部の内周面に圧着して確実に固定でき、その内側に挿入されている水切り袋はコイルバネに沿うように保形でき、水切りを良好に行うことができる。
【００１５】
請求項４の考案によれば、排水筒部の上部にリング状部を支持してホルダ−を排水口に吊り下げ支持することができる。
【００１６】
請求項５の考案によれば、１本の線材によって形成することにより、材料費や製造工程の減少を図ることができ、摘みを摘むことによってホルダ−を扱いやすくなり、しかも第１の巻線部は排水筒部の内周面に均一に圧着して固定できるようになる。
【００１７】
請求項６の考案によれば、内向き部を途中に形成した１本の線材によって簡単に形成することができる。
【考案を実施するための最良の形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１９】
図は実施例１を示しており、流しの排水口１は、上部開口部２の下方に円筒状の排水筒部３が接続され、この排水筒部３の排水底部３Ａに排水パイプ４が接続している。そして、排水パイプ４の上端は排水底部３Ａよりやや上方に突設しており、この上端のやや上方に臭気トラップ用蓋４Ａが設けられている。尚、排水筒部３の内径Ａは上部開口部２の内径Ｂより小さく形成されている。
【００２０】
水切り袋ホルダ−５は前記上部開口部２に嵌合する平面が円形のリング状部６の下方にコイルバネ７を一体に設けている。このコイルバネ７は断面が丸や角の線材８を第１の巻線部７Ａ間相互に第１の間隔Ｌをおいて円筒状に巻いて作ったバネであって、リング状部６の第１の中心軸線Ｘに対してコイルバネ７の第２の中心軸線Ｙは同心円状となって一体に設けている。さらに、コイルバネ７の下部の内側には線材８を、第２巻線部９Ａ間の相互に第２の間隔Ｍをおいて渦巻状に巻線した渦巻きバネ９を一体に設けると共に、この渦巻きバネ９の第３の中心軸線Ｚは前記第１の中心軸線Ｘ、又は第２の中心軸線Ｙと平行又はほぼ平行に設けて底部を形成している。
【００２１】
尚、リング状部６、コイルバネ７及び渦巻きバネ９は線径が同一に形成された１本のステンレス線材８を加工して形成したものであり、この１本の線材８の上部の始端から１巻目をリング状部６とし、また、１巻目の始端には第１の中心軸心Ｘ側に向けて突設した摘み10を設けている。さらに線材８は線材８の２巻目からを径小となるコイルバネ７として形成しており、そのため線材８の１巻目の終端と２巻目の始端との間には終端から始端に向かって内向き部11が形成されている。
【００２２】
さらに、第２の中心軸線Ｙを中心とし、排水口１に取り付けせずに装着されていない状態のそれぞれの第１の巻線部７Ａの外径Ｃは同一又はほぼ同一に形成されており、その外径Ｃは排水筒部３の内径Ａよりも大きく形成している（Ｃ＞Ａ）。また、第１の中心軸線Ｘを中心とするリング状部６の外径Ｄより、第１の巻線部７Ａの前記外径Ｃ、すなわちコイルバネ７の外径Ｃは小さく形成されている（Ｃ＜Ｄ）。そして前記内向き部11の長さＮは、リング状部６の外径Ｄとコイルバネ７の外径Ｃとの差のほぼ半分（（Ｄ−Ｃ）／２）に形成されている。
【００２３】
次に前記構成についてその作用を説明する。ろ過性に優れる材質からなるごみ受けネット或いは水切りネットなどと称する水切り袋12をホルダ−５に挿入し、そしてその上部12Ａをリング状部６に配置すると共に、外側に折り返して装着する。このとき水切り袋12の底部12Ｂはホルダ−５の底部である渦巻きバネ９上に設置されて支持されるようになる。尚、図中13は上部開口部２に嵌合する排水用蓋であって、中央に切り込み（図示せず）が形成された菊割れ蓋を形成している。
【００２４】
次に、摘み10を摘んだ状態で水切り袋12を装着したホルダ−５を排水口１に挿入する。コイルバネ７の外径Ｃは排水筒部３の内径Ａより大きいので、この挿入の際には、コイルバネ７及び渦巻きバネ９は縮径する。そして、コイルバネ７及び渦巻きバネ９を排水筒部３に挿入すると共に、リング状部６を上部開口部２に嵌合するようにセットすると、上部開口部２によって支持されたリング状部６によって水切り袋12を装着したホルダ−５は排水口１に吊り下げられ、さらにコイルバネ７及び渦巻きバネ９における外側に広がろうとする復元弾性力によってコイルバネ７は排水筒部３の内周面に圧着して固定される。そして、リング状部６に菊割れ蓋13を被せる。
【００２５】
このような状態で、流し側からごみを含んだ水が排水口１に流れ込むと、水は水切り袋12の内側から外側に通り抜けて排水底部３Ａに溜まり、排水パイプ４より排水される。一方、水と共に流れ込んだごみは水切り袋12に捕捉されて、渦巻きバネ９で支持された水切り袋12の底部12Ｂに溜まることとなる。
【００２６】
そして、流し側からごみを含んだ水が再び排水口１に流れ込んだ場合には、水切り袋12の底部12Ｂは渦巻きバネ９の上面で支持されると共に、水切り袋12の側周面12Ｃはコイルバネ７により支持されて、水切り袋12はホルダ−５によって保持されていることとなるので、水切り袋12の底部12Ｂが先細になるなど形状が不安定とならずに水切りすると共にごみを捕捉することができる。
【００２７】
以上のように、前記実施例では請求項１に対応して、リング状部６に配置した水切り袋12の上部12Ａを折り返した状態で、前記リング状部６を流し排水口１の排水筒部３に設置する流し排水口１用水切り袋ホルダ−５であって、前記リング状部６の下方に該リング状部６の第１の中心軸線Ｘと同心円状で第１の巻線部７Ａ間に第１の間隙Ｌを形成したコイルバネ７を一体に設け、前記コイルバネ７の下部の内側に線材８によって前記水切り袋12支持用の底部を渦巻きバネ９によって形成したことにより、水切り袋12の側周面12Ｃの外側にはコイルバネ７が配置されると共に、水切り袋12の底部12Ｂの外側には線材８によって形成した底部である渦巻きバネ９を配置することができるので、第１の間隔Ｌによって水切り袋12の外側を排水のために大きく開放することで捕捉されない細かなごみが付着して詰まってしまうようなことはなく、ぬめりや汚れが生じにくくなる。さらに、水切り袋12の上部12Ａをリング状部６で支持でき、水切り袋12の側周面12Ｃをコイルバネ７の内側で支持できると共に、水切り袋12の底部12Ｂを底部である渦巻きバネ９で支持できるようになっているので、水切り袋12を確実に保持でき、水切り袋12の容量を確保することができる。
【００２８】
また、前記実施例では請求項２に対応して、前記水切り袋ホルダ−５の底部は、前記コイルバネ７の下部の内側に一体に設けた渦巻きバネ９により形成すると共に、この渦巻きバネ９の第２の中心軸線Ｙは前記第１の中心軸線Ｘと平行又はほぼ平行に設けて形成したことにより、渦巻きバネ９の第２の巻線部９Ａは水切り袋12の底部12Ｂを線状に接して複数箇所で支持できるので、水切り袋12の底部12Ｂを確実に支持することができると共に、第２の巻線部７Ａ相互には第２の間隙Ｍが形成されているので、第２の間隙Ｍから良好に水切りした水を排出することができる。
【００２９】
さらに、前記実施例では請求項３に対応して、排水筒部３に装着しない状態で前記コイルバネ７の外径Ｃは前記排水筒部３の内径Ａよりも小さく形成されたことにより、コイルバネ７を挿入する際には、コイルバネ７及び渦巻きバネ９を縮径し、そしてホルダ−５を排水口１にセットするとコイルバネ７及び渦巻きバネ９における外側に広がろうとする復元弾性力によってコイルバネ７は排水筒部３の内周面に圧着して確実に固定でき、このために内側に挿入されている水切り袋12はコイルバネ７及び渦巻きバネ９に沿うように保形でき、水切りを良好に行うことができる。
【００３０】
また、前記実施例では請求項４に対応して、前記コイルバネ７の外径Ｃは前記リング状部６の外径Ｄよりも小さく形成されることにより、リング状部６を排水筒部３の上部にある上部開口部２に嵌合するようにセットすることで、上部開口部２にリング状部６を支持して水切り袋12を装着したホルダ−５を排水口１に吊り下げ支持することができる。
【００３１】
しかも、前記実施例では請求項５に対応して前記リング状部６、前記コイルバネ７及び底部である前記渦巻きバネ９を１本の線材８によって形成することにより、材料費や製造工程の減少を図ることができる。また、前記リング状部６には前記第１の軸心側Ｘ、すなわち内側に向けて突設した摘み10を設けたことで、摘み10を摘んでホルダ−５を排水口１に出し入れする際、扱いやすくなり、さらに前記コイルバネ７のそれぞれの第１の巻線部７Ａの外径Ｃをほぼ同一に形成したことで、コイルバネ７のそれぞれの第１の巻線部７Ａは排水筒部３の内周面に均一に圧着して固定できるようになる。
【００３２】
また、前記実施例では請求項６に対応して前記リング状部６、前記コイルバネ７及び底部である前記渦巻きバネ９を１本の線材８によって形成し、前記線材８の始端から１巻目を前記リング状部６とし、前記線材８の２巻目からを前記コイルバネ７に形成し、前記１巻目の終端と前記２巻目の始端との間には終端から始端に向かって内向き部11が形成されると共に、前記内向き部の長さＮは、前記リング状部の外径と前記コイルバネの外径との差のほぼ半分に形成されていることにより、内向き部11を途中に形成した１本の線材８によって全体を簡単に形成することができる。
【産業上の利用可能性】
【００３３】
以上のように本考案にかかる流し排水口用水切り袋ホルダ−は、各種の用途に適用できる。
【図面の簡単な説明】
【００３４】
【図１】本考案の一実施例を示す取り付け状態の断面図である。
【図２】本考案の一実施例を示す取り外し状態の斜視図である。
【図３】本考案の一実施例を示す取り外し状態の正面図である。
【図４】本考案の一実施例を示す取り外し状態の平面図である。
【符号の説明】
【００３５】
１  排水口
３  排水筒部
５  ホルダ−
６  リング状部
７  コイルバネ
７Ａ  第１の巻線部
８  線材
９  渦巻きバネ（底部）
９Ａ  第２の巻線部
10  摘み
11  内向き部
12  水切り袋
12Ａ  上部
Ａ  内径
Ｃ  外径
Ｄ  外径
Ｌ  第１の間隙
Ｍ  第２の間隙
Ｎ  長さ
Ｘ  第１の中心軸線
Ｙ  第２の中心軸線
【図１】
0003124457.tif 000003
【図２】
0003124457.tif 000004
【図３】
0003124457.tif 000005
【図４】
0003124457.tif 000006